(57)【特許請求の範囲】
【請求項１】
温水を浄化して浴槽に供給するための浴湯浄化装置において、該浴湯浄化装置は、本体容器に内容器が内設され、内容器内の内側浄化区域と、内容器と本体容器との空間部の外側浄化区域に、サンゴ砂、又は琉球石灰岩による浄化材が充填されており、該内容器は、多孔質陶器製であり、陶器の焼成時に燃焼または気化して無数の気孔を生じさせる材料を陶器の素地材料に混合させて焼き上げたもので、この混合素材を１ミクロン以下に粒度調整して焼き上げることにより得られた、１ミクロン以下の気孔を有する多孔質陶器であり、上部に温水の注入口が設けられ、該本体容器には温水の排出口が設けられた、２重の浄化槽構造で構成されていることを特徴とする浴湯浄化装置。
【請求項２】
前記の多孔質陶器は、素地材料に乾燥植物粉末を混合させて焼成されていることを特徴とする請求項２の項に記載の浴湯浄化装置。
【請求項３】
前記の乾燥植物粉末は、乾燥させた藁の粉末であることを特徴とする請求項２の項に記載の浴湯浄化装置。
【請求項４】
前記の乾燥植物粉末は、乾燥させた月桃の粉末であることを特徴とする請求項２の項に記載の浴湯浄化装置。
【請求項５】
前記の乾燥植物粉末は、乾燥させた蓬の粉末であることを特徴とする請求項２の項に記載の浴湯浄化装置。
【請求項６】
前記の乾燥植物粉末は、乾燥させた棕櫚の粉末であることを特徴とする請求項２の項に記載の浴湯浄化装置。
【請求項７】
前記の多孔質陶器は、素地材料にサンゴ砂の粉末を混合させて焼成されていることを特徴とする請求項１の項に記載の浴湯浄化装置。
【請求項８】
前記の多孔質陶器は、素地材料に琉球石灰岩の粉末を混合させて焼成されていることを特徴とする請求項１の項に記載の浴湯浄化装置。
【発明の詳細な説明】
【０００１】
【発明の属する技術分野】
本発明は、浴室における浴湯の浄化装置に関し、特に、塩素やトリハロメタンなどの有害物質を除去し、かつ浴槽内に細菌等が繁殖することのない、安全で衛生的であり、設置が容易で安価に製造できる浴湯浄化装置に関する。
【０００２】
【従来の技術】
近年、水道水に消毒用として注入される塩素による問題が大きく取上げられるようになってきた。塩素は、病原菌を殺菌したり、アンモニアや鉄・マンガン・有機物の除去、プランクトンやバクテリアによる濾過装置の目づまり等、いくつもの大事な役割がある。
【０００３】
しかし、その一方において、塩素は、メタンと結合してトリハロメタンというものを生み出す。このトリハロメタンはＩＡＲＣ（国際ガン研究所）が発癌性の疑いがあると判定している有害物質である。しかも、このトリハロメタンは、人間の体の脂肪に溶けやすい性質があり、微量でも確実に体内に蓄積される可能性がある。
【０００４】
このため、飲料水用の浄化装置が各種開発されている。しかしながら、これらの塩素やトリハロメタンなどの有害物質による問題は、飲料水だけにとどまらない。
【０００５】
すなわち、人間の皮膚に直接接触する浴室の浴湯中に含まれる残留塩素などの有害物質による皮膚の障害や、皮膚から有害物質が体内吸収される問題などがあり、飲料水を飲むよりもお風呂やシャワーにより吸収される方がはるかに多いとの発表もある（サイエンスニュース  １０３号／ジャネット・ラロフ）。
【０００６】
このようにお風呂の浴湯中の塩素やトリハロメタンの浄化は、非常に重要な問題であるが、これらの塩素やトリハロメタンなどの有害物質を除去することを主目的として開発された浄化装置は少ない。
【０００７】
従来より、家庭用の浴槽内の浴湯の浄化装置として、浴槽内の浴湯を循環ポンプにより循環させ、該循環ラインに、濾過装置などの浴湯の浄化装置と、浴湯の温度を設定温度に保つための加熱装置などが設けられて構成される２４時間風呂と呼ばれる浴湯循環式の浄化装置がある。
【０００８】
この浄化装置は、２４時間いつでも清潔なお風呂に入ることが可能であり、入浴の度に浴槽の清掃をする必要がなく、非常に便利であり、また、特別な設置工事を必要とせずに、簡単に設置できるため、注目を集め、急速に普及した。
【０００９】
しかしながら、家庭用２４時間風呂の浴槽中において、レジオネラ菌が７０％以上の高い率で検出されたとの日本環境感染学会での発表に伴い、大きな問題となった。
【００１０】
これにより、浄化装置に殺菌機能が設けられるようになった。殺菌機能としては、すでに各種開発されており、
１）塩素殺菌
２）オゾン殺菌
３）紫外線殺菌
４）加熱殺菌
等がある。
【００１１】
１）の塩素殺菌については、一般細菌や大腸菌は殺菌できるが、レジオネラ菌については、かなり高濃度の塩素の注入が必要となってしまう。また、トリハロメタンの問題は解決されない。
【００１２】
２）のオゾン殺菌については、消毒の効率が塩素に比べて不安定であり、水中に残存しないため、継続的な殺菌効果は期待できない。また、トリハロメタンを分解する効果がある。
【００１３】
３）紫外線殺菌については、浴槽の濁りなどによる出力低下の問題があり、殺菌は紫外線照射部分のみであり、殺菌効果の波及、継続性はない。
【００１４】
４）加熱殺菌については、７０℃以上で、レジオネラ菌などにも有効な殺菌ができるが、通常の浴湯設備は、６０℃程度であり、特別な加熱装置を必要とする。しかも、実際の入浴においては、４５℃程度まで冷却しなければ、火傷の危険がありそのままでは使用できない。
【００１５】
これらの２４時間風呂は、人間の体の垢や頭髪等のごみが浴槽内に混入し、汚れた状態の浴湯を循環しながら浄化するものであるため、細菌やウイルスの繁殖を完全に防止することは困難である。
【００１６】
すなわち、浴湯自体は浄化されるが、浴槽内の浴湯を抜いて掃除をし、細菌を完全に除去した状態となることがなく、汚れた浴湯が絶えず存在するため、浴槽の内壁や配管内壁に「ぬめり」などの生物膜が形成され、その内部に細菌が繁殖することは避けられない。
【００１７】
一方、２４時間風呂のような循環式の浄化装置ではなく、浴槽に供給する温水中の残留塩素やトリハロメタンなどの有害物質除去を目的とした浄化装置についてもいくつか提案されている。この場合には、使用後に浴槽内の浴湯の排水および清掃が行われるために、浴槽内での細菌の繁殖の問題はなくなる。
【００１８】
例えば、特開平１０−１８３７１号では、水道水を加熱するための湯沸し器の給水側に浄化装置を設けたものが発明されている。また、実開平６−４００６９号では、シャワーホースのシャワーヘッドに着脱自在の浄化材を設けたものが考案されている。
【００１９】
【発明が解決しようとする課題】
前述のように、２４時間風呂のような循環式の浄化装置においては、細菌の繁殖の問題があり、これを解決するためには、高温殺菌などの特別な設備を必要とし、しかも、生物膜の問題から、定期的に洗浄する必要もある。
【００２０】
たとえ、毎回浴湯を入れ替えて入浴したとしても、浴槽内に浴湯を満たした後、浄化が完了するまで一定時間、循環浄化を行ってから使用することとなり、また、浄化装置の配管系の細菌の繁殖の問題が残される。
【００２１】
また、特開平１０−１０８３７１号については、浄化装置が湯沸し器の上流側に設置されているため、水道水が湯沸し器に達する前に塩素が除去されてしまうために、浴湯沸し器内や出口側の配管系での細菌の繁殖の問題が残される。また、配管設備の為の特別な工事が必要となる。
【００２２】
また、実開平６ー４００６９号については、シャワーヘッドに設置される浄化材は、容量が制限されるため、浄化能力の持続する期間は短く、シャワーのみに使用する場合には、効果的であるが、浴槽内への給湯には適さない。
【００２３】
また、シャワーのように、体に噴射して直に流してしまう場合には、細菌の繁殖の問題はないが、浴槽内への給湯の場合には、安全を考慮して浴槽内への細菌の混入を防止する措置が必要である。
【００２４】
本発明は、上記のような問題点に鑑みてなされたものであり、浄化装置内や浴槽内での細菌の繁殖の問題がなく、浴槽内への細菌及び塩素やトリハロメタン等の有害物質の混入を防止でき、安全で衛生的であり、安価に製造でき、簡単に設置可能な浴湯浄化装置を提供することを目的とする。
【００２５】
【課題を解決するための手段】
本発明は、上記の問題を解決するために、浴槽内の浴湯を循環させて浄化するのではなく、浴槽に供給する温水中に存在する残留塩素やトリハロメタンなどの有害物質を設置タイプの浄化装置にて浄化し浴槽に供給するようにした。
【００２６】
これにより、浴槽内壁での細菌の繁殖の問題が解消される。
また、本浴湯浄化装置は、本体容器内に内容器が内設される、２重構造容器を用い、内容器は、１ミクロン以下の多孔質の透水性容器とし、内容器の内部と、内容器と本体容器との空間部には各々浄化材が充填されている。
【００２７】
多孔質の透水性容器として、多孔質陶器を用いることができる。本来、多孔質陶器は、強度が弱いため、多くが塊状や球状で取り扱われており、吸着式浄化材や浄化能力のある有用菌の倍地として使用されていた。
本発明においては、この多孔質陶器を円筒容器状とし、その内側と外側に浄化材を充填して使用し、充填した浄化材により多孔質容器壁がしっかりと保護されるようにしたことを特徴とする。使用する浄化材は、自然浄化材を用いる。
【００２８】
浄化手順は、給湯器からの温水を内容器に供給し、内容器内に充填された浄化材により、残留塩素等の有害物質を吸着除去させる。該浄化材は、残留塩素やトリハロメタンなどを除去できる浄化材であればいずれでも良い。また、有害物質の吸着作用の他にミネラル成分の調整効果のあるサンゴ砂や琉球石灰岩などを用いても良く、さらに遠赤外線効果のある陶磁器材などを用いても良い。
【００２９】
サンゴ砂は、死んだサンゴの骨格が砕けて砂状になったものであり、多孔質で高い吸着性能を有し、海水中のミネラル成分が多く含まれている。主に沖縄県に産出するものであり、雨水貯水槽の浄化材として古くから使用されている。
【００３０】
琉球石灰岩も沖縄県に産出するもので、サンゴなど化石類が多く含まれている多孔質の石灰岩である。沖縄県では、貯水槽などに入れて古くから浄化材として使用されているものである。
【００３１】
内容器については、１ミクロン以下の透水性容器を使用する。これにより、大腸菌やレジオネラ菌等の細菌類が数ミクロンの大きさであるため、内容器内から透水性容器壁を透過して本体容器側にこれらの細菌類が流出することはなくなり、給湯設備及び給水配管系から混入した細菌類を除去できる。１ミクロン以下の透水性容器としては、多孔質陶器製の容器を用いることができる。
【００３２】
多孔質陶器とは、焼成時に燃焼または気化して無数の気孔を生じさせる材料を素地材料に混合させて焼き上げたものである。これは、従来より、陶器の軽量化を目的として開発が進められてきたものであり、混合素材をより多く混合させ、多孔質の孔径をより大きくし、かつ強度の低下しない理想的な軽量陶器の開発が盛んに行われている。近年では、混合素材として、耐火性で高強度の中空微粒子、フライアッシュバルーンなどが用いられている。
【００３３】
本発明は、上記の多孔質陶器を浄化材として応用したものである。従来より、汚泥や飲料水の浄化材として多孔質陶器が用いられているものもある。これらは、多孔質な無数の微細孔を有用微生物の繁殖倍地とし、微生物浄化材として活用したものや、球状や粒状として、多孔質の吸着作用を用いて浄化させるようにしたものであった。
【００３４】
本発明では、壷状の陶器製容器とし、多孔質の微細孔により、細菌類の除去可能な孔径を有する多孔質フィルターとしての機能を活用したものである。
【００３５】
多孔質であるため、強度が低下するが、２重構造容器とし、内容器内および内容器と本体容器との空間部に各々浄化材を充填することにより、内容器の破損の心配はない。
【００３６】
粘土などの素地材料に混合させる混合素材の粒度を調整することにより多孔質の孔径を調整することができる。
【００３７】
また、陶器の強度を意識的に高める必要がないため、焼成温度は、８００℃〜１２００℃程度の低温での焼成ができ、防水のための上薬を塗る必要もなく、素焼の状態で使用できる。
【００３８】
混合素材としては、おが屑や藁、月桃、蓬、棕櫚などを乾燥させ粉末状にした乾燥植物粉末や、サンゴ砂の粉末や、琉球石灰岩の粉末などを用いることができる。
【００３９】
これらを１ミクロン程度の微粉末状に粒度調整して素地材料に混合し、壷状に整形し、焼成することにより、孔径が焼き締められ、１ミクロン以下の透水性を有する多孔質陶器ができる。
【００４０】
混合素材の素地材料に対する混合割合は、混合素材によって異なるが、１０〜５０％程度である。１０％以下では、焼成後の気孔が連続状態とならず、単独気孔となるため、透水性が低くなる。５０％以上では、ぱさぱさになり、整形しにくくなる。好ましくは、２０〜３０％程度である。
【００４１】
また、本体容器は、浄化処理後の浴湯を排出するための排出口が本体容器の下部に設けられている。この本体容器を陶磁器製容器とすると、遠赤外線効果により、温水が活性化し、温熱効果の高い浴湯となる。
【００４２】
【発明の実施の形態】
本発明の浴湯浄化装置は、アトピーなどの敏感皮膚の人たちがお風呂に入ることにより、更に症状が悪化していることに注目し、これが浴湯中の残留塩素などを除去することにより改善することができることを見出し、研究、試作を重ねた結果、多孔質透水性容器と自然浄化材により、肌にやさしく、敏感肌にも効果的であり、小型で設置しやすい浴湯浄化装置の発明を完成させたものである。
【００４３】
本発明の実施例を図面を用いて説明する。
図１は、本発明による浴湯浄化装置の実施例を示す概略斜視図である。
【００４４】
この浴湯浄化装置は、円筒状の本体容器１の上部に蓋体２が取り付けられており、該蓋体２の中央部分に給湯口３が設けられており、該給湯口３は、浴室内に設備される給湯ノズルとホースなどで連結され、本浴湯浄化装置内に給湯される。また、該本体容器１は陶磁器製であり、下部側面には、排湯ノズル４が設けられており、固定台５に載置固定されている。
【００４５】
図２は、本発明による浴湯浄化装置の縦断面図であり、図３は、図２のＡ−Ａ部の水平断面図である。
【００４６】
本浴湯浄化装置は、２重構造容器となっており、本体容器１の内部に、内容器６が内設されている。該内容器６は、本体容器１内部の底部中央部に設置された設置台７の上に載置されている。また、設置台７の上部外周部分には、ドーナツ状の網板８が取り付けられている。
【００４７】
該内容器６の内部の内側浄化区域９は、サンゴ砂が充填されており、内容器６および本体容器１との空間部の外側浄化区域１０には、粒度調整された琉球石灰岩が充填されている。
【００４８】
該サンゴ砂は、沖縄県にて産出される特有のものであり、サンゴの死骸の骨格を破砕して、粒径が５〜１０ｍｍ程度となるように粒度調整されたものである。
【００４９】
また該琉球石灰岩も沖縄県のみに産出するものであり、化石質が多く含まれた石灰岩であり、非常に多孔質でミネラル分が多く含まれている。
【００５０】
上記のサンゴ砂や琉球石灰岩は、沖縄県地方においては、古くから雨水を浄化するための浄化材として家庭用の浄化槽に使用されており、浄水効果とともにミネラル補給効果もある。
【００５１】
また、該内容器６は、多孔質陶器製である。この多孔質陶器は、陶器の焼成時に燃焼または気化して無数の気孔を生じさせる材料を陶器の素地材料に混合させて焼き上げたものであり、この混合素材を１ミクロン程度の微粉末状に粒度調整して焼き上げることにより、１ミクロン以下の気孔を有する多孔質陶器としたものである。
【００５２】
混合素材は、微粉末状に粒度調整するため、陶器素材の粘土に容易に混合させることができ、通常の素焼陶器の製造と同様に行うことができる。上薬を塗る必要がないため、２度焼きの必要もなく、また焼成温度も８００℃から１２００℃程度の比較的低温で良い。このため、小型の電気炉などで十分に製造することができる。
【００５３】
該混合素材としては、藁、月桃、蓬、棕櫚等の乾燥植物粉末を使用できる。藁は、稲藁、麦藁などが良い。月桃及び蓬は葉と茎を用いる。棕櫚は皮と葉を用いる。これらの植物を十分に乾燥させてから粉砕機により１ミクロン程度に微粉末化して混合素材とする。
【００５４】
月桃には、消臭効果や抗菌効果がある。また、蓬には薬草としての効果がある。また、棕櫚については、沖縄県地方では、古くから雨水の浄化槽に必ず使用されていた濾過材であり、長期に渡って使用でき、カビなども付かない。抗菌効果がある。実際に発明者の母親は、この棕櫚を用いた浄水槽で長年生活しており、健康でしわもなく、１０１才まで長生きした。
【００５５】
また、サンゴ砂や琉球石灰岩を粉砕機で１ミクロン程度に粉砕して混合素材として使用できる。これらは、吸着効果に加えてミネラル成分の調整効果もある。
【００５６】
図４は、本発明による浴湯浄化装置の使用例を示す概略図である。浴室内の浴槽１１の給湯ノズル１２側の上部に設置板１３が掛け渡されており、この設置板１３の上部に本発明による浴湯浄化装置１４が載置されている。
【００５７】
該浴湯浄化装置１４の給湯口３と浴槽１１の給湯ノズル１２との間は給湯ホース１５で連結されており、給湯ノズル１２の給湯栓１６を開くことにより、浴湯浄化装置１４内に温水が供給される。
【００５８】
供給された温水は、図２に示すように、最初に、内容器６の上部に給湯口３を通って供給される。ここで、内容器６の内側浄化区域９内に充填されたサンゴ砂により塩素やトリハロメタン等の有害物質が吸着または分解される。
【００５９】
さらに多孔質陶器製である内容器６の容器壁を透過することにより、数ミクロン程度である細菌（大腸菌やレジオネラ菌など）類が除去されて、本体容器１側の外側浄化区域１０に充填された琉球石灰岩の充填層に流れ出る。
【００６０】
ここでは、琉球石灰岩により、ミネラル分が温水中に溶解する。また、長期使用により内側浄化区域９内のサンゴ砂の吸着能力が低下した場合においても、この琉球石灰岩により、塩素やトリハロメタンなどの有害物質は吸着されるため、安全である。
【００６１】
この外側浄化区域１０の浄化材を透過した温水は、最後に琉球石灰岩の充填槽の下部に設置された網板８を透過して、本体容器１低部の低部区域１７に流れ込み、本体容器１の下部側面に設けられた排湯ノズル４を通して浴槽１１に流入する。
【００６２】
該網板８は、外側浄化区域１０内の琉球石灰岩の粒が温水と共に浴槽１１に流れ込まないように設けられたものであり、琉球石灰岩の粒子より細かいメッシュの網である。
【００６３】
該排湯ノズル４は、本実施例では、側面に設けられているが、本体容器１の底面に設け、設置板１３にノズル穴を開けてその部分を通して浴槽１１に流入するようにしても良い。また、浴槽１１の端部に一定スペースがあるものについては、設置板１３を使用せずに、浴湯浄化装置本体を直接載置してそのまま使用することができる。
【００６４】
また固定台５は、その底面において、樹脂突起や樹脂リングなどを取り付け、滑り止め処理を施すと良い。
【００６７】
本浴湯浄化装置は、内容器内の浄化材の吸着能力及び内容器壁の濾過能力によりその使用期間が設定される。
【００６８】
本実施例では、内側浄化区域９の浄化材（サンゴ砂）の充填量を１０リットル、外側浄化区域１０の浄化材（琉球石灰岩）の充填量を７リットルとした。内容器６に使用した多孔質陶器の混合素材は、１ミクロン以下に粒度調整された稲藁の乾燥粉末を陶器粘土に２０％混合して１０００℃で焼成したものを使用した。
【００６９】
また、本体容器１は、１３００℃で焼成された遠赤外線効果のある陶磁器を使用した。遠赤外線とは、波長が２．５〜１００ミクロンの電磁波であり、水に吸収され、水質を改善し、一般菌の発生を抑制し、水の腐敗を防止する効果やまろやかな味に改善するなどとされ、遠赤外線陶器やセラミックスなどが浄水材として市販されている。
【００７０】
上記の構成による浴湯浄化装置１４を浴室に設置し、毎日２００リットルの浄化を行った。６ケ月間の使用においても目づまりは発生しなかった。
【００７１】
内部浄化区域９の浄化材をサンゴ砂ではなく、飲料水の浄化材として多用されている活性炭を同じ容量充填して使用してみた。この場合においては、約３ケ月ほどで目づまりを起こし使用できなくなった。内容器６を取り出して内部を調べて見た。活性炭の表面に「ぬめり」が発生しており、活性炭を倍地としてバクテリアが発生し悪臭を放っていた。また、内容器６の内壁面にも「ぬめり」がみられ、これにより目づまりを起こしていた。
【００７２】
これに対して、内部浄化区域９の浄化材がサンゴ砂の場合には、６ケ月経ても、サンゴ砂の表面や内容器６の内壁面に「ぬめり」は見られず、悪臭もなく、バクテリアの発生は見られなかった。
【００７３】
内側浄化区域９の浄化材をサンゴ砂に替えて琉球石灰岩を使用してみた。サンゴ砂と同様に６ヵ月を経ても「ぬめり」は見られず、悪臭もなかった。
【００７４】
多孔質陶器製の内容器６の混合素材に月桃、蓬、棕櫚の乾燥微粉末を使用した。月桃の場合には、抗菌効果がある他、浴湯にほのかな月桃の香りが移り、お風呂で月桃の香りを楽しむことができた。蓬の場合にも、蓬独特の香りが残り、薬草効果が期待できる。棕櫚の場合には、特別な香りはなかった。いずれの場合おいても６ケ月の使用において「ぬめり」等の問題はなかった。
【００７５】
さらに、多孔質陶器の混合素材としてサンゴ砂、琉球石灰岩の微粉末を使用した。これらの微粉末は、多孔質な無機質であるため、焼成により気化、燃焼するものではなく、粘土と同様に焼結しており、本来の多孔質により、透水性を有するものである。このため、焼成時の燃焼等による膨張なども少なく、多孔質がかなり緻密になる。６ケ月の使用においては、「ぬめり」等の問題はなかった。
【００７６】
また、本浴湯浄化装置１４の多孔質陶器の製造において、稲藁の乾燥微粉末を混合素材として円板状に整形して焼成した多孔質陶器円板を、本体容器内に水平に３段の層を形成するように、サンゴ砂の層と交互に充填して浄化槽を形成して同様に使用してみた。使用開始から１ケ月で目づまりを起こし使用できなくなった。
【００７７】
これは、多孔質円板が水平に設置されているため、サンゴ砂の破砕粉末などの微粉末が直に堆積してしまい、多孔質円板の微細孔を塞いでしまうためである。
【００７８】
また、複数層に形成しても、最初の多孔質円板が先に目づまりしてしまうため、各層毎に上から下の段になるにしたがって孔径を徐々に小さくして最終的に１ミクロンとなるように多くの種類の多孔質円板を製造しなけらばならない。また、多孔質面の表面積を比較すると、多孔質円板は、容器状の多孔質陶器の表面積の２０分の１以下であり、処理流量が少な過ぎる。
【００７９】
本浴湯浄化装置の浄化材及び多孔質陶器製内容器は、６ケ月で交換することが好ましい。６ケ月以上使用することもできるが、温水中に含まれるカルシウム分により、徐々に処理能力が低下してしまう。
【００８０】
本浴湯浄化装置は、上記のように、特別な多孔質陶器を製造するが、混合粉末を陶器粘土に混入する以外は、通常の陶器製造工程と同じに製造することができる。また、浄化材も自然浄化材を使用するため、粒度調整のみで、特別の加工をする必要はない。このため消耗部分である浄化材や多孔質陶器製内容器は安価に製造できる。しかも、６ケ月の長期に渡って確実な浄化能力を発揮する。
【００８１】
また、敏感肌でアトピーなどの症状がある場合には、最初の１週間は、水道水を使用せずに、純水を使用すると良い。この１週間の間は、本発明による浴湯浄化装置を使用することにより、純水に十分なミネラル分が溶け込み、非常に肌に良い浴湯が提供できる。近年、純水は比較的安く市販されるようになっており、純水の溶出能力と本発明の浴湯浄化装置のミネラル作用とを効果的に活用したものである。
【００８２】
【発明の効果】
以上詳細に説明した本発明では、以下に示すような効果がある。
１）小型であり、設置のための特別な設備工事などの必要がなく、浴室内に設置して簡単に使用することができ、安価に製造できる。
【００８３】
２）本体容器内に内容器が内設される２重の浄化槽構造であるため、小型で浄化面積を大きくとることができる。
【００８４】
３）１ミクロン以下の多孔質の透水性容器であるため、細菌類の除去ができ、安全である。
【００８５】
４）多孔質陶器製の内容器は、該容器壁の内側と外側に浄化材が充填されているため、外部からの衝撃などによる破損などの心配がない。
【００８６】
５）陶器の強度を特別に高める必要がなく、焼成温度は低くできるため、焼成時の膨張の問題もなく、また、高温窯を必要とせず、安価に製造できる。
【００８７】
６）多孔質陶器の気孔形成用の混合素材として、藁、月桃、蓬、棕櫚などの乾燥植物粉末を使用することにより、焼成時の有害物質の発生はなく、安価に多孔質陶器を製造できる。また、浴湯が独特の良い香りとなり、薬草効果も発揮される。
【００８８】
７）多孔質陶器の気孔形成用の混合素材として、サンゴ砂、琉球石灰岩の微粉末を使用することにより、通常の陶器と同じ製造工程で製造でき、安価に多孔質陶器を製造できる。また熱膨張の問題もなく、焼成時の変形もなく、緻密な気孔が形成される。
【００８９】
８）内側浄化区域及び外側浄化区域に充填する浄化材としてサンゴ砂、琉球石灰岩が使用されているため、塩素やトリハロメタンのなどの有害物質を除去することができる。また、ミネラル成分の調整効果があり、自然の浄化材であるため、安全である。
【００９０】
このように、本発明によれば、浄化装置や浴槽内での細菌の繁殖の問題がなく、浴槽内への細菌及び塩素やトリハロメタン等の有害物質の混入を防止でき、さらにミネラル調整された安全で肌にやさしい浴湯を供給でき、設置が容易で安価に製造できる浴湯浄化装置を提供することができる。
【図面の簡単な説明】
【図１】本発明による浴湯浄化装置の実施例を示す概略斜視図である。
【図２】本発明による浴湯浄化装置の実施例を示す縦断面図である。
【図３】本発明による浴湯浄化装置の実施例を示すＡ−Ａ部水平断面図である。
【図４】本発明による浴湯浄化装置の使用例を示す概略斜視図である。
【符号の説明】
１  本体容器
２  蓋体
３  給湯口
４  排出口
５  固定台
６  内容器
７  設置台
８  網板
９  内側浄化区域
１０  外側浄化区域
１１  浴槽
１２  給湯ノズル（浴室設備）
１３  設置板
１４  浴湯浄化装置
１５  給湯ホース
１６  給湯栓
【図１】
0004195754.tif 000002
【図２】
0004195754.tif 000003
【図３】
0004195754.tif 000004
【図４】
0004195754.tif 000005